【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
アンテナと、
外部装置からの信号を前記アンテナを介して受信することで生じる外部電力を用いて、前記外部装置から受信した信号に対する応答を前記外部装置に送信することが可能な通信手段と、
外部装置からの信号を前記アンテナを介して受信することで前記外部電力が生じた場合、前記通信手段への前記外部電力の供給を無効化する無効化手段と、
前記無効化手段による前記通信手段への前記外部電力の供給の無効化を遮断するよう制御する制御手段とを有することを特徴とする通信装置。
【請求項２】
前記無効化手段は、前記外部装置からの信号の受信に応じて前記通信手段から出力される信号が入力された場合、前記外部電力の前記通信手段への供給を無効化することを特徴とする請求項１に記載の通信装置。
【請求項３】
前記無効化手段は、前記外部装置からの信号の受信に応じて前記通信手段から出力される信号が入力された場合、前記アンテナをグラウンドに短絡することによって、前記通信手段への前記外部電力の供給を無効化することを特徴とする請求項２に記載の通信装置。
【請求項４】
前記通信手段はＶＤＤ端子を有し、
前記外部装置からの信号の受信に応じて前記通信手段から出力される信号は、前記ＶＤＤ端子からの出力であることを特徴とする請求項３に記載の通信装置。
【請求項５】
前記制御手段は、前記外部電力とは異なる電源から供給される電力を用いて動作し、
前記制御手段からの信号に基づき、前記無効化手段による前記通信手段への前記外部電力の供給の無効化を遮断する遮断手段を更に有することを特徴とする請求項２乃至４のいずれか１項に記載の通信装置。
【請求項６】
前記遮断手段は、前記通信手段からの前記無効化手段への信号を遮断することによって、前記無効化手段による前記通信手段への前記外部電力の供給の無効化を遮断することを特徴とする請求項５に記載の通信装置。
【請求項７】
前記遮断手段は、前記通信手段からの前記無効化手段への信号経路をグラウンドに短絡することによって、前記無効化手段による前記通信手段への前記外部電力の供給の無効化を遮断することを特徴とする請求項６に記載の通信装置。
【請求項８】
前記通信手段は、
前記外部装置からの信号の受信に応じて信号を出力する信号出力端子を有し、
前記無効化手段は、
入力端子を有し、当該入力端子に前記信号が入力されるとＯＮになる第１スイッチと、
前記信号出力端子を前記第１スイッチの入力端子に接続すると共に、前記第１スイッチがＯＮになった場合に前記アンテナをグラウンドに短絡する回路とを有し、
前記制御手段は、
第１制御信号を出力する第１制御出力端子、及び第２制御信号を出力する第２制御出力端子を有するＣＰＵと、
入力端子を有し、当該入力端子に前記第１制御信号が入力されるとＯＮになる第２スイッチと、
前記第２制御信号の指示に従って内部状態を切り替え、当該内部状態に従って信号の出力状態を切り替える状態保持回路と、
入力端子を有し、当該入力端子に前記状態保持回路からの信号が入力されるとＯＮになる第３スイッチと、
前記状態保持回路からの信号を前記第３スイッチの入力端子に接続すると共に、前記第３スイッチがＯＮになった場合に前記第１スイッチの入力端子をグラウンドに短絡する回路と、
前記第１制御出力端子を前記第２スイッチの入力端子に接続すると共に、前記第２スイッチがＯＮになった場合に前記第３スイッチの入力端子をグラウンドに短絡する回路と、を含む
ことを特徴とする請求項２に記載の通信装置。
【請求項９】
電池を更に有し、
前記通信手段は、
前記外部装置からの信号の受信に応じて信号を出力する信号出力端子を有し、
前記無効化手段は、
入力端子を有し、当該入力端子に前記信号が入力されるとＯＮになる第１スイッチと、
前記信号出力端子を前記第１スイッチの入力端子に接続すると共に、前記第１スイッチがＯＮになった場合に前記アンテナをグラウンドに短絡する回路とを有し、
前記制御手段は、
前記電池からの電力供給によって動作し、制御信号を出力する制御出力端子を有するＣＰＵと、
前記電池の電圧が閾値以上の場合に信号を出力する出力端子を有する電圧検出回路と、
入力端子を有し、当該入力端子に前記制御信号又は電圧検出回路からの信号が入力されるとＯＮになる第３スイッチと、
前記ＣＰＵの前記制御出力端子及び前記電圧検出回路の出力端子を前記第３スイッチの入力端子に接続すると共に、前記第３スイッチがＯＮになった場合に前記第１スイッチの入力端子をグラウンドに短絡する回路と、を含む
ことを特徴とする請求項２に記載の通信装置。
【請求項１０】
前記無効化手段は、前記アンテナを介して受信した前記外部装置からの信号が入力された場合、前記外部電力の前記通信手段への供給を無効化し、
前記制御手段は、前記外部装置からの前記無効化手段への信号を遮断することによって、前記無効化手段による前記通信手段への前記外部電力の供給の無効化を遮断することを特徴とする請求項１に記載の通信装置。
【請求項１１】
前記無効化手段は、前記アンテナを介して受信した前記外部装置からの信号が入力された場合、前記アンテナをグラウンドに短絡することによって、前記外部電力の前記通信手段への供給を無効化することを特徴とする請求項１０に記載の通信装置。
【請求項１２】
前記制御手段は、前記外部電力とは異なる電源から供給される電力を用いて動作し、
前記制御手段からの信号に基づき、前記無効化手段による前記通信手段への前記外部電力の供給の無効化を遮断する遮断手段を更に有することを特徴とする請求項１１に記載の通信装置。
【請求項１３】
前記遮断手段は、前記アンテナからの前記無効化手段への信号経路をグラウンドに短絡することによって、前記無効化手段による前記通信手段への前記外部電力の供給の無効化を遮断することを特徴とする請求項１２に記載の通信装置。
【請求項１４】
前記無効化手段は、
入力端子を有し、当該入力端子に前記アンテナを介して受信した前記外部装置からの信号が入力されるとＯＮになる第１スイッチと、
前記アンテナを前記第１スイッチの入力端子に接続すると共に、前記第１スイッチがＯＮになった場合に前記アンテナをグラウンドに短絡する回路とを有し、
前記制御手段は、
第１制御信号を出力する第１制御出力端子、及び第２制御信号を出力する第２制御出力端子を有するＣＰＵと、
入力端子を有し、当該入力端子に前記第１制御信号が入力されるとＯＮになる第２スイッチと、
前記第２制御信号の指示に従って内部状態を切り替え、当該内部状態に従って信号の出力状態を切り替える状態保持回路と、
入力端子を有し、当該入力端子に前記状態保持回路からの信号が入力されるとＯＮになる第３スイッチと、
前記状態保持回路からの信号を前記第３スイッチの入力端子に接続すると共に、前記第３スイッチがＯＮになった場合に前記第１スイッチの入力端子をグラウンドに短絡する回路と、
前記第１制御出力端子を前記第２スイッチの入力端子に接続すると共に、前記第２スイッチがＯＮになった場合に前記第３スイッチの入力端子をグラウンドに短絡する回路と、を含む
ことを特徴とする請求項１０に記載の通信装置。
【請求項１５】
電池を更に有し、
前記無効化手段は、
入力端子を有し、当該入力端子に前記アンテナを介して受信した前記外部装置からの信号が入力されるとＯＮになる第１スイッチと、
前記アンテナを前記第１スイッチの入力端子に接続すると共に、前記第１スイッチがＯＮになった場合に前記アンテナをグラウンドに短絡する回路とを有し、
前記制御手段は、
前記電池からの電力供給によって動作し、制御信号を出力する制御出力端子を有するＣＰＵと、
前記電池の電圧が閾値以上の場合に信号を出力する出力端子を有する電圧検出回路と、
入力端子を有し、当該入力端子に前記制御信号又は電圧検出回路からの信号が入力されるとＯＮになる第３スイッチと、
前記ＣＰＵの前記制御出力端子及び前記電圧検出回路の出力端子を前記第３スイッチの入力端子に接続すると共に、前記第３スイッチがＯＮになった場合に前記第１スイッチの入力端子をグラウンドに短絡する回路と、を含む
ことを特徴とする請求項１０に記載の通信装置。
【請求項１６】
アンテナと、
外部装置からの信号を前記アンテナを介して受信することで生じる外部電力を用いて、前記外部装置から受信した信号に対する応答を前記外部装置に送信することが可能な通信手段と、
外部装置からの信号を前記アンテナを介して受信することで前記外部電力が生じた場合、前記通信手段への前記外部電力の供給を無効化する無効化手段と、
を備える通信装置の制御方法であって、
前記無効化手段による前記通信手段への前記外部電力の供給の無効化を遮断するよう制御する制御工程を有する制御方法。
【請求項１７】
コンピュータに、請求項１６に記載の制御方法の制御工程を実行させるための、コンピュータが読み取り可能なプログラム。
【手続補正２】
【補正対象書類名】明細書
【補正対象項目名】００１０
【補正方法】変更
【補正の内容】
【００１０】
上記課題を解決するために、本発明は、アンテナと、外部装置からの信号を前記アンテナを介して受信することで生じる外部電力を用いて、前記外部装置から受信した信号に対する応答を前記外部装置に送信することが可能な通信手段と、外部装置からの信号を前記アンテナを介して受信することで前記外部電力が生じた場合、前記通信手段への前記外部電力の供給を無効化する無効化手段と、前記無効化手段による前記通信手段への前記外部電力の供給の無効化を遮断するよう制御する制御手段とを有することを特徴とする通信装置を提供する。
【手続補正３】
【補正対象書類名】明細書
【補正対象項目名】発明の名称
【補正方法】変更
【補正の内容】
【発明の名称】通信装置、制御方法、及びプログラム